【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
キッチン及び洗面化粧台などの水栓基部の外側周囲辺における水垢などの発生を防止する手段において、これら水栓基部の外側周囲辺に密接装着することで該水栓基部の外側周囲辺に滞留する水分を除去可能とする若干幅寸法で帯形状の水分除去材を構成したことを特徴とする水栓基部の外側周囲辺水垢防止装置。
【請求項２】
請求項１記載の帯形状の水分除去材が、吸放湿性を有する不織布積層体で構成され、かつ若干幅寸法で所要の口径寸法を有し伸縮自在可能とするリング形状の水分除去材であることを特徴とする請求項１記載の水栓基部の外側周囲辺水垢防止装置。
【請求項３】
水分除去材が、着脱可能で抗菌処理が付加されたものであり、キッチン及び洗面化粧台などの環境から使用者において清潔感がイメージされるカラー構成で、その更新取替え時期が視覚確認可能であるとするものであることを特徴とする請求項１、２記載の水栓基部の外側周囲辺水垢防止装置。
【手続補正２】
【補正対象書類名】明細書
【補正対象項目名】全文
【補正方法】変更
【補正の内容】
【発明の詳細な説明】
【発明の名称】水栓基部の外側周囲辺水垢防止装置。
【技術分野】
【０００１】
本発明は、水栓基部の外側周囲辺に発生する水垢の防止を可能とする水栓基部の外側周囲辺水垢防止装置に関するものである。
【背景技術】
【０００２】
キッチン及び洗面化粧台などに備えられる水回り器具での水栓等は、その使用用途から水沫や雫などの影響を受けやすく、水栓周囲を濡れ落ちる水滴などで該水栓基部の外側周囲辺が濡れそぼり留まることでその場所に水垢を生じやすく変色するなどで汚染が見られ、キッチン及び洗面化粧台として不潔で更に不衛生であるという違和感が増幅されるものである。
【０００３】
発生してしまったこれら水垢や変色汚染物質などを除去するには、専用とする薬剤や例えば歯ブラシなど用いるのであるが、汚染進行度合いによっては完全除去は難しく時には該水栓基部の外側周囲辺とその取り付け平面部位などに傷をつけ、かえって見苦しくなってしまうという大きな欠点があった。
【先行技術文献】
【特許文献】
【０００４】
【特許文献１】なし
【非特許文献】
【０００５】
【非特許文献１】サンウェーブ工業株式会社  著  「システムキッチン  取扱説明書」  平成22年
【発明の開示】
【発明が解決しようとする課題】
【０００６】
解決しようとする課題は、キッチン及び洗面化粧台などに備えられる水回り器具など水栓基部の外側周囲辺に生じやすい水垢の原因となる溜り水を除去し防止する装置がない点である。
【課題を解決するための手段】
【０００７】
本発明は、キッチン及び洗面化粧台などに備えられる水回り器具など水栓基部の外側周囲辺及びその取り付け平面部位に生じやすい水垢の原因となる溜り水を除去し防止するため、該水栓基部の外側周囲辺に密接装着可能とする吸放湿性を有し更に抗菌処理を付加された若干幅寸法の帯形状又は伸縮自在可能のリング形状の水分除去材を適宜更新取り換えることを最も主要な特徴とする。これにより、水垢等発生原因となる水栓基部の外側周囲辺などに溜まる水分を除去し防止するという目的を実現した。
【発明の効果】
【０００８】
本発明の水栓基部の外側周囲辺水垢防止装置は、キッチン及び洗面化粧台などに備えられる水回り器具など水栓基部の外側周囲辺に生じやすい水垢の原因となる溜り水をと除去し防止するため、吸放湿性を有し若干幅寸法の帯形状の水分除去材を該水栓基部の外側周囲辺に密接装着できるようにしたことは、水栓基部の外側周囲辺における水垢発生などのトラブルを未然に防止できるという装置として大いに優れている。
【０００９】
請求項２において、請求項１記載の帯形状の水分除去材が吸放湿性を有する不織布積層体で構成し、かつ若干幅寸法で所要の口径寸法を有し伸縮自在可能とするリング形状の水分除去材としたことは、不特定外径の水栓基部の外側周囲辺寸法にも対応可能とすることで機能的にして利便性効果が大きい。
【００１０】
請求項３において、着脱可能とされる該水分除去材に抗菌処理が付加され、かつキッチン及び洗面化粧台などの環境から使用者において清潔感がイメージされるカラー構成で、その更新取替え時期が視覚確認可能であるとするものであることは、環境及び、衛生面維持において利便性に優れている。
【発明を実施するための最良の形態】
【００１１】
所要とする特性を付加された帯形状又はリング形状の水分除去材を用い、水栓基部の外側周囲辺に密接装着させることでこの部位に溜まる水分を除去させ、使用過程における機能劣化の水分除去材を適宜更新取り換えを行うことで、該水栓基部の外側周囲辺における水垢の発生を未然に防止可能とするという目的を最少の部材もって実現した。
【実施例１】
【００１２】
本発明装置の一実施例で、図１は水栓１の基部外側周囲辺に帯形状又はリング形状の水分除去材２，３を密接装着させた使用状態を示す全体斜視図、図２は帯形状の水分除去材の説明図で図３は伸縮自在可能とするリング形状の水分除去材の説明図である。
以下図面に基づいて詳細に説明する。
【００１３】
図１〜３において、水分除去材２は、吸放湿性を有する不織布積層体で構成された若干幅と長さ寸法をもって伸縮自在可能とする帯状に形成されている。
使用に当たっては、水栓１の基部外側周囲辺に密接に巻き付け外径寸法に合わせることでカットし、解けたり、ずれることのないように装着されるものである。
【００１４】
リング形状の水分除去材３は、帯形状の水分除去材２の材質と同様であるが若干幅と口径寸法をもってリング形状に形成され伸縮自在構造となされているので、水栓１を上から被せるように通すことで容易に水栓1の基部周囲辺に密接装着できるものである。
なを、リング形状の水分除去材３の口径寸法は、通常仕様の水栓基部外側周囲辺を所要の押圧力を有して密接装着可能とすることを標準サイズとするが、規格外の水栓基部外側周囲辺寸法にも対応できる口径寸法のものも用意されるものである。
【００１５】
帯形状の水分除去材２及び伸縮自在可能とするリング形状の水分除去材３は、キッチン及び洗顔化粧台などの使用環境から構成材に抗菌処理が付加されると共に、装着される帯形状の水分除去材２及び伸縮自在可能とするリング形状の水分除去材３が、利用者において爽快で清潔感がイメージされるカラーが考慮されかつ水分除去材の機能低下を示す変色サインが設けられ、更新取替え時期が視覚確認されるようになされているものである。
【００１６】
このようになっていると、水栓１基部外側周囲辺に密接装着した帯形状の水分除去材２及び伸縮自在可能とするリング形状の水分除去材３は、付加された機能材により、水栓1の本体部分を滴り下がる水滴や水沫で水栓１の基部外側周囲辺部位に溜まる水分を吸収除去し、水分が滞留するこで水垢の発生する原因を排除するものである。
そして、この効果を持続させるさせるために、水回り器具の使用頻度や装着された該水分除去材２，３の含水又は含湿による変色具合に応じ又は適宜に更新取替えを行うものである。
【産業上の利用可能性】
【００１７】
キッチン及び洗面化粧台における水回り器具の水栓基部外側周囲辺などに発生する水垢防止のみならず、水垢に伴う汚染物質発生付着を未然に防止する手段として、食品加工、美容は勿論精密工業などの多方面の用途にも応用利用が期待できるものである。
【図面の簡単な説明】
【００１８】
【図１】水栓1基部外側周囲辺に帯形状の水分除去材２又は伸縮自在可能とするリング形状の水分除去材３を密接装着させた、使用状態を示す全体斜視図である。（実施例１）
【図２】帯形状の水分除去材２の説明図である。（実施例１）
【図３】リング形状の水分除去材３の説明図である。（実施例１）
【符号の説明】
【００１９】
１    水栓
２    帯形状の水分除去材
３    リング形状の水分除去材
４    平面